(57)【要約】【課題】貨幣処理装置における処理の効率化を図る。【解決手段】貨幣処理装置（有価媒体処理ユニット６００）は、入金対象の貨幣が投入される投入部６１０と、入金処理の確定前に、入金対象の貨幣を一時的に保留する一時保留部６２０と、入金処理が確定したことを受けて入金対象の貨幣を収納する収納部（損券収納部６４０）と、入金処理を実行すると共に、収納部の貨幣を払い出す回収処理を実行する制御部８と、を備える。制御部は、少なくとも一時保留部に一時保留している入金対象の貨幣の量に基づき、入金処理が確定したことを受けて、一時保留部の入金対象の貨幣の少なくとも一部を払い出す（工程Ｐ２の実線参照）。【選択図】図５
2020067794.tif 000002
【特許請求の範囲】
【請求項１】
入金処理の時に、入金対象の貨幣が投入される投入部と、
前記入金処理の確定前に、前記入金対象の貨幣を一時的に保留する一時保留部と、
前記入金処理が確定したことを受けて前記入金対象の貨幣を収納する収納部と、
前記入金処理を実行すると共に、前記収納部の前記貨幣を払い出す回収処理を実行する制御部と、を備え、
前記制御部は、少なくとも前記一時保留部に一時的に保留している前記入金対象の貨幣の量に基づき、前記入金処理が確定したことを受けて、前記一時保留部の前記入金対象の貨幣の少なくとも一部を払い出す貨幣処理装置。
【請求項２】
前記制御部は、前記一時保留部に一時的に保留している前記入金対象の貨幣の量と、前記収納部に収納している前記貨幣の量とに基づき、前記一時保留部の前記入金対象の貨幣の少なくとも一部を払い出す請求項１に記載の貨幣処理装置。
【請求項３】
前記制御部は、前記一時保留部の前記入金対象の貨幣の少なくとも一部と、前記収納部の前記貨幣の少なくとも一部とを払い出す請求項２に記載の貨幣処理装置。
【請求項４】
払い出す貨幣の基準量を記憶する記憶部を備え、
前記制御部は、前記記憶部が記憶している前記基準量の整数倍の前記貨幣を払い出す請求項１〜３のいずれか１項に記載の貨幣処理装置。
【請求項５】
貨幣の回収量を記憶する記憶部を備え、
前記制御部は、前記一時保留部に一時的に保留している前記入金対象の貨幣の量と、前記収納部に収納している前記貨幣の量との合計が、前記記憶部が記憶している前記回収量に到達したことを条件に、前記入金対象の貨幣の少なくとも一部を払い出す請求項１〜４のいずれか１項に記載の貨幣処理装置。
【請求項６】
前記制御部は、前記一時保留部の前記入金対象の貨幣であって、払い出さない貨幣を、前記収納部へ収納する請求項１〜５のいずれか１項に記載の貨幣処理装置。
【請求項７】
前記入金処理を実行する操作者の権限を判定する認証部を備え、
前記制御部は、
前記操作者が所定の権限を有している場合は、前記入金対象の貨幣を払い出し、
前記操作者が前記所定の権限を有していない場合は、前記入金対象の貨幣を払い出すことを保留する請求項１〜６のいずれか１項に記載の貨幣処理装置。
【請求項８】
前記制御部は、前記認証部が前記所定の権限を有している操作者を認証した後に、保留していた前記入金対象の貨幣の払い出しを行う請求項７に記載の貨幣処理装置。
【請求項９】
前記制御部は、払い出しを保留するときに、前記所定の権限を有している操作者に連絡を行う請求項７又は８に記載の貨幣処理装置。
【発明の詳細な説明】
【技術分野】
【０００１】
ここに開示する技術は、貨幣処理装置に関する。
【背景技術】
【０００２】
特許文献１には、有価媒体処理装置が記載されている。この有価媒体処理装置は、紙幣処理装置が受け付けない紙幣や、小切手等の有価媒体の入金処理を行う。紙幣処理装置が受け付けない紙幣には、紙幣処理装置がリジェクト紙幣と判定した「リジェクト券」、損傷度合いや汚損が激しい「損券」、及び、現在発行されている紙幣よりも発行された年代が古い「旧券」が含まれる。
【０００３】
有価媒体処理装置は、入金処理時に、入金対象の有価媒体を装置内に取り込んで画像を取得すると共に、画像の取得後に入金対象の有価媒体を一時保留部に一時保留する。操作者が、有価媒体の券種（つまり、紙幣であれば金種や発行時期）及び価値（つまり、一部が破れて欠損している損券において、欠損の程度によって定まる価値）を手入力した上で、入金処理を確定させる操作を行うと、有価媒体処理装置は、入金対象の有価媒体を一時保留部から収納部へ搬送して、収納部に収納する。
【先行技術文献】
【特許文献】
【０００４】
【特許文献１】特開２０１３−１９６０２６号公報
【発明の概要】
【発明が解決しようとする課題】
【０００５】
ところで、前述した有価媒体処理装置を含む貨幣処理装置は、収納部に収納している貨幣を装置外に払い出す回収処理を実行する場合がある。例えば、前記の有価媒体処理装置は、損券及び／又は旧券を収納する収納部が満量になる、又は、満量に近づくと、回収処理を実行する。尚、「収納部が満量になる」とは、収納部の収納量が、予め定めた収納可能容量になる（いわゆるフルになる）ことであり、「収納部が満量に近づく」とは、収納部の収納量が、収納可能容量よりも少ない量として予め定めたニアフルになる（以下、単に「ニアフルになる）と言う）ことである。
【０００６】
ここで、入金処理中の貨幣処理装置が一時保留部内の入金対象の貨幣を収納部へ収納している途中に収納部がフルになる又はニアフルになることによって、又は、貨幣処理装置が入金対象の貨幣を全て収納部へ収納し終わった時に収納部がフルになる又はニアフルになることによって、回収処理が必要になる場合がある。貨幣を収納部へ収納している途中であれば、操作者は、入金処理を中断し回収処理を割り込みで実行する操作をしなければならない。収納部への貨幣の収納が完了した時であれば、操作者は、その完了直後に、回収処理を実行する操作をしなければならない。これらの場合、操作者による操作が面倒になってしまう。
【０００７】
また、貨幣処理装置が、このような入金処理と回収処理との両方を実行する場合は、入金処理として収納部に入れた貨幣を、回収処理によって直ぐに収納部から出すことになる。貨幣処理装置が貨幣を搬送する動作が無駄になると共に、入金処理及び回収処理を含む処理全体の実行に必要な時間が長くなってしまうという不都合もある。
【０００８】
ここに開示する技術は、貨幣処理装置における処理の効率化を図る。
【課題を解決するための手段】
【０００９】
具体的に、ここに開示する貨幣処理装置は、入金処理の時に、入金対象の貨幣が投入される投入部と、前記入金処理の確定前に、前記入金対象の貨幣を一時的に保留する一時保留部と、前記入金処理が確定したことを受けて前記入金対象の貨幣を収納する収納部と、前記入金処理を実行すると共に、前記収納部の前記貨幣を払い出す回収処理を実行する制御部と、を備える。
【００１０】
そして、前記制御部は、少なくとも前記一時保留部に一時的に保留している前記入金対象の貨幣の量に基づき、前記入金処理が確定したことを受けて、前記一時保留部の前記入金対象の貨幣の少なくとも一部を払い出す。
【００１１】
この構成によると、入金処理が確定したときに、本来は収納部に収納される入金対象の貨幣の少なくとも一部が、収納部に収納されずに払い出される。入金対象の貨幣が払い出されることは、回収処理によって貨幣が回収されることと等価である。入金処理が確定したときに収納部へ貨幣を収納することを省いて回収処理を行うことにより、貨幣処理装置の処理の効率化が図られる。
【００１２】
前記制御部は、前記一時保留部に一時的に保留している前記入金対象の貨幣の量と、前記収納部に収納している前記貨幣の量とに基づき、前記一時保留部の前記入金対象の貨幣の少なくとも一部を払い出す、としてもよい。
【００１３】
一時保留部に一時的に保留している入金対象の貨幣を収納部に収納したと仮定したときに、入金対象の貨幣の量と収納部に収納している貨幣の量とに基づいて、収納部がフルになる、又は、ニアフルになることを、事前に判断することが可能である。収納部がフルになる、又は、ニアフルになるのであれば、一時保留部の入金対象の貨幣の少なくとも一部を払い出すことにより、収納部がフルになる、又は、ニアフルになることを避けることができる。
【００１４】
前記制御部は、前記一時保留部の前記入金対象の貨幣の少なくとも一部と、前記収納部の前記貨幣の少なくとも一部とを払い出す、としてもよい。
【００１５】
入金処理の実行の際に、収納部に収納している貨幣の少なくとも一部を払い出すことによって、収納部がフルになる、又は、ニアフルになることを避けることができる。貨幣処理装置における処理の効率化が図られる。
【００１６】
前記貨幣処理装置は、払い出す貨幣の基準量を記憶する記憶部を備え、前記制御部は、前記記憶部が記憶している前記基準量の整数倍の前記貨幣を払い出す、としてもよい。
【００１７】
基準量の整数倍の貨幣を払い出すことによって、貨幣を所定枚数毎に束ねることができる（例えば１００枚の紙幣を束ねた帯封紙幣にしたり、５０枚の硬貨を包装した包装硬貨にしたりすることができる）。尚、払い出す貨幣は、一時保留部に一時保留されていた入金対象の貨幣のみであってもよいし、一時保留部に一時保留されていた入金対象の貨幣と、収納部に収納されていた貨幣との両方であってもよい。
【００１８】
基準量の整数倍の貨幣を払い出すことで、端数が生じることなく、払い出された貨幣を、所定枚数毎にまとめることができる。払い出された貨幣を、例えば手元管理貨幣として管理する上で、有利になる。
【００１９】
前記貨幣処理装置は、貨幣の回収量を記憶する記憶部を備え、前記制御部は、前記一時保留部に一時的に保留している前記入金対象の貨幣の量と、前記収納部に収納している前記貨幣の量との合計が、前記記憶部が記憶している前記回収量に到達したことを条件に、前記入金対象の貨幣の少なくとも一部を払い出す、としてもよい。
【００２０】
貨幣の回収を行うしきい値としての回収量を予め定めておき、入金対象の貨幣の量と収納部に収納している貨幣の量との合計が回収量に到達したことを条件に、入金対象の貨幣の少なくとも一部を払い出すことによって、貨幣の回収を適切に行うことができる。
【００２１】
前記制御部は、前記一時保留部の前記入金対象の貨幣であって、払い出さない貨幣を、前記収納部へ収納する、としてもよい。
【００２２】
払い出さない入金対象の貨幣を収納部へ収納することにより、当該貨幣を、貨幣処理装置において適切に管理することができる。
【００２３】
前記貨幣処理装置は、前記入金処理を実行する操作者の権限を判定する認証部を備え、前記制御部は、前記操作者が所定の権限を有している場合は、前記入金対象の貨幣を払い出し、前記操作者が前記所定の権限を有していない場合は、前記入金対象の貨幣を払い出すことを保留する、としてもよい。
【００２４】
前記操作者が所定の権限を有している場合は、入金対象の貨幣を払い出すことによって、貨幣処理装置から回収した貨幣を適切に管理することができる。
【００２５】
入金処理を実行する操作者が所定の権限を有していない場合に、入金対象の貨幣を払い出すことを保留することにより、貨幣処理装置が処理をした貨幣を、厳正に管理することができる。
【００２６】
前記制御部は、前記認証部が前記所定の権限を有している操作者を認証した後に、保留していた前記入金対象の貨幣の払い出しを行う、としてもよい。
【００２７】
こうすることで、入金処理と、入金対象の貨幣の払い出しとをスムースに完了させることができる。
【００２８】
前記制御部は、払い出しを保留するときに、前記所定の権限を有している操作者に連絡を行う、としてもよい。
【００２９】
所定の権限を有している操作者は、連絡を受けることによって、貨幣処理装置において入金対象の貨幣の払い出しを実行することができる。貨幣処理装置の処理が速やかに完了する。
【発明の効果】
【００３０】
以上説明したように、前記の貨幣処理装置によると、処理の効率化を図ることができる。
【図面の簡単な説明】
【００３１】
【図１】図１は、出納機の構成例を示す外観図である。
【図２】図２は、出納機の構成例を示すブロック図である。
【図３】図３は、有価媒体処理ユニットの内部構成例を示す図である。
【図４】図４は、回収設定テーブルを例示する図である。
【図５】図５は、有価媒体処理ユニットにおける紙幣の搬送経路を示す説明図である。
【図６】図６は、有価媒体処理ユニットにおける紙幣の搬送経路を示す説明図である。
【図７】図７は、有価媒体処理ユニットにおける入金処理及び回収処理に係る制御手順を例示するフローチャートである。
【図８】図８は、ターミナル部が表示する画面の遷移を例示する図である。
【図９】図９は、損貨・記念貨処理ユニットの構成例を示す斜視図である。
【発明を実施するための形態】
【００３２】
以下、貨幣処理装置の実施形態を図面に基づいて詳細に説明する。以下の説明は、貨幣処理装置の一例である。図１は、貨幣処理装置としての有価媒体処理ユニット６００を含む出納機１の構成例を示している。出納機１は、例えば銀行等の金融機関の営業店舗に設置される。尚、貨幣処理装置は、出納機１の有価媒体処理ユニット６００に限定されない。
【００３３】
（出納機の構成例）
図２は、出納機１の構成を例示するブロック図である。出納機１は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００３４】
バラ紙幣処理ユニット１００は、入金口に投入されたバラ紙幣を、ユニット内の収納部に収納する入金処理や、収納部に収納しているバラ紙幣を、出金口に払い出す出金処理を行う。
【００３５】
帯封紙幣処理ユニット２００は、所定枚数（例えば１００枚）のバラ紙幣を一つに束ねた帯封紙幣を作成しかつ、帯封紙幣をユニット内に収納すると共に、指定された金種及び束数の帯封紙幣を、ユニット外に出金する処理を行う。
【００３６】
バラ硬貨処理ユニット３００は、入金口に投入されたバラ硬貨を、ユニット内の収納部に収納する入金処理や、収納部に収納しているバラ硬貨を、出金口に払い出す出金処理を行う。
【００３７】
包装硬貨処理ユニット４００は、所定枚数（例えば５０枚）のバラ硬貨を円筒形状に包装した包装硬貨を作成しかつ、包装硬貨をユニット内に収納すると共に、指定された金種及び本数の包装硬貨を、ユニット外に出金する処理を行う。
【００３８】
損貨・記念貨処理ユニット５００は、傷みや汚れがひどいため、バラ硬貨処理ユニット３００で処理することができないバラ硬貨（損貨）、並びに、バラ硬貨処理ユニット３００が処理対象としていない記念硬貨などをユニット内に収納する入金処理を行う。損貨・記念貨処理ユニット５００は、有価媒体処理ユニット６００の上面に配置されている。
【００３９】
有価媒体処理ユニット６００は、傷みや汚れがひどいため、バラ紙幣処理ユニット１００が処理を行わないバラ紙幣、具体的には、バラ紙幣処理ユニット１００がリジェクトしたリジェクト紙幣、損傷度合いや汚損が激しい損券、及び、現在発行されている紙幣よりも発行された年代が古い旧券の処理を行う。有価媒体処理ユニット６００はまた、小切手や手形等の有価証券の処理を行う。さらに、この有価媒体処理ユニット６００は、中央銀行から各金融機関に配送され、未だ市場流通していない官封券（いわゆる新券）の処理も行う。有価媒体処理ユニット６００の構成の詳細は、後述する。尚、ここでは、有価媒体処理ユニット６００が処理を行う紙葉類を有価媒体と呼ぶ。
【００４０】
貨幣保管ユニット７００は、紙幣や硬貨、又は、有価証券類等を保管する収納ドロワを複数備えている。操作者は、収納ドロワを開閉することによって、収納ドロワに紙幣等を収納したり、収納ドロワから紙幣等を取り出したりする。
【００４１】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。出納機１は、当該出納機１に収納されている紙幣及び硬貨だけでなく、営業店舗の金庫に保管している貨幣の在高、及び、担当者が手許で管理をする手許管理の貨幣の在高の管理も行う。
【００４２】
出納機１はまた、第１ターミナル部４１、第２ターミナル部４２、プリンタ５０、記憶部５１、及び、通信部５２を備えている。
【００４３】
第１ターミナル部４１は、包装硬貨処理ユニット４００の上面に配置されており、第２ターミナル部４２は、帯封紙幣処理ユニット２００の上面に配置されている。第１ターミナル部４１及び第２ターミナル部４２は同じ構成を有している。第１ターミナル部４１及び第２ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第１ターミナル部４１及び第２ターミナル部４２はまた、操作者の認証を行うために、カード情報を読み取るカードリーダを有している。尚、以下の説明において、第１ターミナル部４１及び第２ターミナル部４２を総称するときには、単にターミナル部４と呼ぶ場合がある。ターミナル部４は、認証部の一例である。
【００４４】
プリンタ５０は、例えば感熱式プリンタや、インクジェットプリンタによって構成され、取引を行う毎に伝票の印刷をしたり、各種のレシートの印刷を行ったりする。プリンタ５０は、バラ紙幣処理ユニット１００の上面と、バラ硬貨処理ユニット３００の上面とのそれぞれに配置されている。
【００４５】
記憶部５１は、例えばハードディスクドライブや、不揮発性メモリによって構成されている。記憶部５１は、出納機１に収納している紙幣及び硬貨の在高情報を記憶している。記憶部５１はまた、営業店舗に設けられている金庫に保管している貨幣の在高、及び、手許管理の貨幣の在高の情報も記憶している。記憶部５１はさらに、出納機１の各ユニットが実行した処理のログデータを記憶している。
【００４６】
出納機１は、ネットワーク７０１を介して、管理コンピュータ５３に接続されている。管理コンピュータ５３は、出納機１の管理を行う。出納機１は、取引に関する情報を、管理コンピュータ５３に出力する。
【００４７】
通信部５２は、ネットワーク７０１を通じて、出納機１と管理コンピュータ５３との間の通信を行う。通信部５２は、制御部８に対して、信号の授受可能に接続されている。
【００４８】
管理コンピュータ５３には、図１に例示するように、スマートフォン５４や、タブレット端末５５のような携帯端末が通信可能に接続される。操作者は、スマートフォン５４又はタブレット端末５５を操作することによって、管理コンピュータ５３を通じて出納機１の操作を行うことができる。
【００４９】
（有価媒体処理ユニットの構成例）
図３は有価媒体処理ユニット６００の内部構成図である。図３では、図面左側の面が有価媒体処理ユニット６００の前面となっており、図面右側の面が有価媒体処理ユニット６００の背面となっている。
【００５０】
有価媒体処理ユニット６００には、有価媒体が投入される投入部６１０と、有価媒体を機外に払い出す払出部６６０とが設けられている。投入部６１０及び払出部６６０は、有価媒体処理ユニット６００の筐体６０１の前面に設けられている（図１も参照）。投入部６１０には繰出機構６１２が設けられている。繰出機構６１２は、操作者が投入部６１０に投入した有価媒体を機内に繰り出す。繰出機構６１２はまた、投入部６１０に有価媒体が束状態で投入されたときには、有価媒体を一枚ずつ機内に繰り出す。
【００５１】
搬送部６１４は、投入部６１０から繰り出された有価媒体を、一枚ずつ搬送する。搬送部６１４には、撮像部６１６が設けられている。撮像部６１６は、機内に取り込んだ有価媒体の両面を撮像することによって画像データを取得する。
【００５２】
搬送部６１４にはまた、一時保留部６２０が接続されている。一時保留部６２０は、撮像部６１６を通過した有価媒体を一時的に保留する。一時保留部６２０は、有価媒体をテープと共に、ドラム６２０ａに巻き取るテープ巻取方式に構成されている。より詳細に、ドラム６２０ａは正逆両方向に回転可能であり、ドラム６２０ａはテープ及び有価媒体を巻き取ったり繰り出したりする。一時保留部６２０に送られた有価媒体は、一枚ずつ順次、テープと共にドラム６２０ａに巻き取られて収納される。また、ドラム６２０ａを逆転させると、有価媒体が一枚ずつ繰り出されて、搬送部６１４に送り出される。
【００５３】
有価媒体処理ユニット６００の筐体６０１内には、小切手等を収納する特定有価証券収納部６３０と、損券や旧券を収納する損券収納部６４０とが設けられている。ここでは、特定有価証券収納部６３０は、三つの収納部から構成されている。各特定有価証券収納部６３０は集積方式の収納部であり、搬送部６１４から特定有価証券収納部６３０に送られた小切手は、既に特定有価証券収納部６３０に収納されている小切手の上に積み重ねられるようにして収納される。また、特定有価証券収納部６３０は、収納された小切手を繰り出す機能を備えている。なお、特定有価証券収納部６３０は、小切手以外の手形等の有価証券を収納してもよい。
【００５４】
損券収納部６４０は、第１損券収納部６４１と、第２損券収納部６４２とを備えている。第１損券収納部６４１は集積方式の収納部である。搬送部６１４から第１損券収納部６４１に送られた損券や旧券は、既に第１損券収納部６４１に収納されている損券や旧券の上に積み重ねられるようにして収納される。第１損券収納部６４１は、収納している損券や旧券を、搬送部６１４に繰り出すことができない。第２損券収納部６４２はテープ巻取方式の収納部である。より具体的に第２損券収納部６４２は、一時保留部６２０と同様に、正逆両方向に回転可能なドラム６４２ａを有している。第２損券収納部６４２は、損券や旧券を、一枚ずつ順次、テープと共にドラム６４２ａに巻き取って収納する。また、第２損券収納部６４２は、ドラム６４２ａを逆転させることによって、損券や旧券をドラム６４２ａから一枚ずつ繰り出して、搬送部６１４に送り出すことができる。
【００５５】
有価媒体処理ユニット６００の筐体６０１内には、新券を収納する新券収納部６５０が設けられている。ここでは、新券収納部６５０は、四つの収納部から構成されている。各新券収納部６５０に収納されている新券は、繰出機構により搬送部６１４に一枚ずつ繰り出される。
【００５６】
払出部６６０は搬送部６１４に接続されている。搬送部６１４によって搬送された有価媒体は、当該払出部６６０で積み重なる。また、払出部６６０にはシャッタ６６１ａが設けられており、操作者は、このシャッタ６６１ａが開放状態となったときに、払出部６６０に集積されている有価媒体を取り出すことができる。
【００５７】
払出部６６０には、新券収納部６５０に収納されている新券が払い出される他にも、後述するように、例えば回収処理時に、第２損券収納部６４２から繰り出された損券や旧券が、払出部６６０に払い出される。
【００５８】
（有価媒体処理ユニットの入金処理）
次に、有価媒体処理ユニット６００が行う有価媒体の入金処理、特に第１損券収納部６４１又は第２損券収納部６４２に収納される損券及び旧券の入金処理について説明をする。
【００５９】
操作者は、ターミナル部４を操作することにより、損券又は旧券（以下、説明を簡単にするために紙幣と呼ぶ）の入金処理の実行を選択する。操作者はまた、入金対象の紙幣を有価媒体処理ユニット６００の投入部６１０に投入する。このときに操作者は、入金対象の紙幣の特性に応じて、紙幣をキャリアシートに挟んで投入部６１０に投入することができる。キャリアシートは、図示は省略するが、紙幣を挟む２枚の透明又は半透明のシートによって構成された搬送補助シートである。操作者は、キャリアシートを利用しない場合は、投入部６１０に、紙幣を束で投入することも可能である。紙幣が束で投入されると、投入部６１０の繰出機構６１２は、前述したように、紙幣を一枚ずつ機内に繰り出す（つまり、連続入金）。操作者は、入金処理の実行を選択する際に、ターミナル部４を操作することにより、投入部６１０に紙幣を束で投入する連続入金を行うか、投入部６１０に紙幣を一枚ずつ投入する一枚入金を行うかを、選択してもよい。
【００６０】
投入部６１０に紙幣を投入した後、操作者がターミナル部４を操作することにより「計数開始」を指示すると、有価媒体処理ユニット６００は、入金処理を開始する。具体的に投入部６１０は、投入された紙幣を繰り出す。撮像部６１６は、紙幣の表裏両面を撮像する。一時保留部６２０は、紙幣を収納する（つまり、入金処理の確定前に、一時的に紙幣を保留する）。
【００６１】
撮像部６１６が取得した画像データは、ターミナル部４に表示される。操作者は、入金対象の紙幣の券種を、ターミナル部４において手入力する。具体的に操作者は、当該紙幣の発行時期であるＥ券、Ｄ券、Ｃ券と、金種（つまり、万、５千、２千、千、５百、その他）との組み合わせを選択する（例えば、「Ｄ２千円券」や「Ｃ一万円券」等）。
【００６２】
投入部６１０に投入した全ての紙幣について、操作者が情報の手入力を行って、入金処理の確定を選択すると、一時保留部６２０は、一時保留している入金対象の紙幣を繰り出し、搬送部６１４は、当該紙幣を、第１損券収納部６４１、又は、第２損券収納部６４２へ搬送する。第１損券収納部６４１、又は、第２損券収納部６４２は、入金対象の紙幣を収納する。例えば、第１損券収納部６４１は、Ｃ券を収納し、第２損券収納部６４２は、Ｄ券及びＥ券を収納する。記憶部５１は、入金処理のログデータを記憶すると共に、記憶している第１損券収納部６４１、又は、第２損券収納部６４２の在高を更新する。記憶部５１はまた、第２損券収納部６４２については、収納している紙幣の情報を、その収納順に記憶する。紙幣の収納順は、後述する指定回収時に利用される。こうして、有価媒体処理ユニット６００の損券又は旧券の入金処理が完了する。
【００６３】
尚、操作者が入金処理の確定を選択せずに、紙幣の返却操作を行ったときには、一時保留部６２０は、一時保留している入金対象の紙幣を繰り出し、搬送部６１４は、当該紙幣を、払出部６６０へ搬送する。入金対象の紙幣は、払出部６６０に返却される。
【００６４】
（有価媒体処理ユニットの回収処理）
次に、有価媒体処理ユニット６００が行う有価媒体の回収処理、具体的には、第１損券収納部６４１の回収処理、及び、第２損券収納部６４２の回収処理について、説明をする。回収処理は、例えば損券収納部６４０が満量になった（例えば、損券収納部６４０の収納量が、損券収納部６４０の収納可能容量に到達した（つまり、フルになった））、又は、収納可能容量に近づいた（例えば、損券収納部６４０の収納量が予め設定をしたニアフル（但し、ニアフルは収納可能容量よりも少ない）になった）ときに実行される。
【００６５】
第１損券収納部６４１の回収処理時に、操作者は、ターミナル部４を操作することにより、第１損券収納部６４１の回収処理の実行を選択する。第１損券収納部６４１は、収納している紙幣を繰り出すことができないため、有価媒体処理ユニット６００は、第１損券収納部６４１については、収納している紙幣を全て回収する全回収のみを実行することができる。有価媒体処理ユニット６００は、第１損券収納部６４１の回収処理の実行が指示されると、筐体に設けられたロックを解除することによって、操作者が有価媒体処理ユニット６００の筐体を開けることを許容する。操作者は、第１損券収納部６４１の内部を外に開放した上で、第１損券収納部６４１内に集積している紙幣を、手で取り出す。紙幣を取り出した後に、操作者が筐体を閉じることによって、第１損券収納部６４１の回収処理が完了する。
【００６６】
第２損券収納部６４２の回収処理時にも、操作者は、ターミナル部４を操作することにより、第２損券収納部６４２の回収処理の実行を選択する。第２損券収納部６４２は、収納している紙幣を繰り出すことができるため、有価媒体処理ユニット６００は、第２損券収納部６４２については、収納している紙幣を全て回収する全回収と、回収対象の券種及び枚数を指定する指定回収とのそれぞれを、実行することができる。
【００６７】
第２損券収納部６４２の回収処理の実行を選択した後、操作者は、ターミナル部４を操作することによって、第２損券収納部６４２に収納している紙幣を全て回収する全回収、又は、第２損券収納部６４２に収納している紙幣の一部を回収する指定回収を選択する。指定回収を選択した場合、操作者はさらに、ターミナル部４を操作することによって、回収対象の紙幣の券種や金種、及び、その枚数を指定することができる。
【００６８】
全回収又は指定回収が選択されると、有価媒体処理ユニット６００は、第２損券収納部６４２に収納している紙幣を繰り出す。搬送部６１４は、回収対象の紙幣を払出部６６０へ搬送し、そこに払い出す。全回収であれば、第２損券収納部６４２から繰り出された全ての紙幣が回収対象の紙幣であり、指定回収であれば、指定された券種の紙幣が回収対象の紙幣である。尚、第２損券収納部６４２から繰り出された紙幣が、回収対象の紙幣であるか否かは、記憶部５１が記憶している紙幣の収納順に基づいて判定する。搬送部６１４は、回収対象外の紙幣を一時保留部６２０へ搬送し、一時保留部６２０は、回収対象外の紙幣を一時保留する。回収対象の紙幣が全て、払出部６６０に払い出された後、一時保留部６２０は、（紙幣を一時保留しているのであれば）一時保留している回収対象外の紙幣を繰り出し、搬送部６１４は、当該紙幣を第２損券収納部６４２へ搬送する。こうして、第２損券収納部６４２の回収処理が完了する。
【００６９】
有価媒体処理ユニット６００から回収された紙幣は、手元管理紙幣として管理されたり、貨幣保管ユニット７００に保管されたりする。回収された紙幣は、所定枚数（例えば１００枚）で束ねた帯封紙幣に形成した方が、手元管理が容易になる。
【００７０】
第２損券収納部６４２の紙幣を回収するときには指定回収が可能であるため、各券種について所定枚数を一単位とした回収を行うことができる。指定回収は、回収する枚数を指定することが可能であるから、回収した紙幣の管理が容易になる。
【００７１】
（有価媒体処理ユニットの入金及び回収処理）
ここで、入金処理の確定後、一時保留部６２０に一時保留している紙幣を損券収納部６４０へ収納している途中に、損券収納部６４０がフルになる又はニアフルになると、有価媒体処理ユニット６００の回収処理の実行が必要になる。同様に、損券収納部６４０への収納が完了したタイミングで、損券収納部６４０がフルになる又はニアフルになると、有価媒体処理ユニット６００の回収処理の実行が必要になる。
【００７２】
従来の有価媒体処理ユニットでは、損券収納部６４０がフル又はニアフルになると、操作者が、入金処理を中断しかつ回収処理を割り込みで実行する操作をしたり、入金処理の完了直後に、入金処理に続けて回収処理を実行する操作をしたりしていた。このような有価媒体処理ユニットの構成は、操作者による操作が面倒になってしまう。
【００７３】
また、入金処理と回収処理との両方を実行する場合は、入金処理時に損券収納部６４０に収納した貨幣を、回収処理によって、直ぐに損券収納部６４０から回収することになる。有価媒体処理ユニット６００の紙幣の搬送動作が無駄になると共に、入金処理及び回収処理を含めた処理全体に要する時間が、長くなってしまうという不都合もある。
【００７４】
そこで、ここに開示する有価媒体処理ユニット６００は、入金処理が確定したときに、入金対象の紙幣の少なくとも一部を、損券収納部６４０に収納せずに、一時保留部６２０から払出部６６０へ払い出すことが可能に構成されている。つまり、有価媒体処理ユニット６００は、入金対象の紙幣について、損券収納部６４０に収納しないで回収することができる。
【００７５】
制御部８は、入金処理が確定したときに、少なくとも一時保留部６２０に一時保留している紙幣の量に基づき、一時保留している紙幣を損券収納部６４０に収納すると、損券収納部６４０がフルになる又はニアフルになることにより回収処理の実行が必要になり得る状況か否かを判定する。そして、制御部８は、その判定結果に応じて、入金対象の紙幣の少なくとも一部を、払出部６６０へ払い出すことを可能にする。
【００７６】
入金処理の実行に続いて入金対象の紙幣の回収処理を実行するときには、一時保留部６２０に一時保留している紙幣を全て、払出部６６０に払い出してもよい。また、回収後の貨幣の管理を容易にするために、一時保留部６２０に一時保留している紙幣のうち、券種毎に、所定枚数の整数倍（尚、ここでいう整数には、１も含まれる）の紙幣を、払出部６６０に払い出してもよい。紙幣の回収枚数を設定するために、出納機１の記憶部５１は、回収設定テーブルＴ１を記憶している。
【００７７】
図４は、回収設定テーブルＴ１を例示している。回収設定テーブルＴ１は、券種毎に、払出部６６０へ払い出す紙幣の回収基準枚数（つまり、前記の所定枚数に相当）を定めている。回収基準枚数は、帯封紙幣を作成する紙幣の枚数に基づいて定めている。図４に例示する回収設定テーブルＴ１は、各券種の回収基準枚数を１００枚に定めている。尚、回収基準枚数は１００枚には限らない。また、券種毎に、回収基準枚数を異ならせてもよい。
【００７８】
有価媒体処理ユニット６００はまた、入金処理の確定時に損券収納部６４０がフルになる又はニアフルになる、のではないときも、回収処理が可能に構成されている。具体的に有価媒体処理ユニット６００は、少なくとも一時保留部６２０に一時保留している入金対象の紙幣の量と、回収設定テーブルＴ１とに基づき、券種毎に、回収基準枚数の整数倍の紙幣を回収することができる場合は、入金処理に続けて入金対象の紙幣の回収処理を行うことが可能に構成されている。
【００７９】
さらに、第２損券収納部６４２は紙幣を繰り出すことができることから、有価媒体処理ユニット６００は、入金処理の確定時に、一時保留部６２０に一時保留している入金対象の紙幣を払出部６６０に払い出すことに加えて、第２損券収納部６４２に収納している紙幣の一部も、払出部６６０に払い出すことができるよう構成されている。つまり、一時保留部６２０に一時保留している入金対象の紙幣と、第２損券収納部６４２に収納している紙幣との両方を回収する。一時保留部６２０に一時保留している入金対象の紙幣だけでは回収基準枚数の整数倍の紙幣を回収することができないときであっても、一時保留部６２０に一時保留している入金対象の紙幣と、第２損券収納部６４２に収納している紙幣とを合わせることによって、回収基準枚数の整数倍の紙幣を回収することができる場合がある。
【００８０】
次に、図５及び図６を参照しながら、有価媒体処理ユニット６００における入金及び回収処理時の、紙幣の搬送について説明する。図５の工程Ｐ１は、入金処理時の紙幣の搬送経路を示している。同図に矢印によって示すように、投入部６１０に投入された入金対象の紙幣は、撮像部６１６によって撮像された後、搬送部６１４によって一時保留部６２０へ搬送されると共に、一時保留部６２０に一時的に保留される。
【００８１】
図５の工程Ｐ２は、入金処理の確定後、入金対象の紙幣を収納せずに回収するときの紙幣の搬送経路を示している。回収対象の紙幣は、同図に実線の矢印によって示すように、一時保留部６２０から繰り出された後、搬送部６１４によって払出部６６０に払い出される。回収しない紙幣であって、第１損券収納部６４１に収納される紙幣は、同図に破線の矢印によって示すように、一時保留部６２０から繰り出された後、搬送部６１４によって第１損券収納部６４１へ搬送されると共に、第１損券収納部６４１は当該紙幣を収納する。一方、回収しない紙幣であって、第２損券収納部６４２に収納される紙幣は、同図に一点鎖線の矢印によって示すように、一時保留部６２０から繰り出された後、搬送部６１４によって第２損券収納部６４２へ搬送されると共に、第２損券収納部６４２は当該紙幣を収納する。
【００８２】
図６の工程Ｐ３は、入金処理の実行に続けて入金対象の紙幣の回収処理を実行するときに、第２損券収納部６４２に収納している紙幣の一部を回収する際の搬送経路を示している。工程Ｐ３は、図５の工程Ｐ２に続けて行ってもよい。また、工程Ｐ３（及び後述の工程Ｐ４）は、図５の工程Ｐ２の前に行ってもよい。
【００８３】
図６の工程Ｐ３に実線の矢印によって示すように、第２損券収納部６４２から繰り出された紙幣のうち回収対象の紙幣は、搬送部６１４によって払出部６６０に払い出される。第２損券収納部６４２から繰り出された紙幣のうち回収対象でない紙幣は、破線の矢印で示すように、搬送部６１４によって一時保留部６２０へ搬送されると共に、一時保留部６２０は当該紙幣を一時保留する。
【００８４】
図６の工程Ｐ４は、回収対象の紙幣が払出部６６０に払い出された後の紙幣の搬送経路を示している。図６の工程Ｐ４に実線の矢印によって示すように、一時保留部６２０は、一時保留をしていた回収対象でない紙幣を繰り出し、搬送部６１４は、当該紙幣を第２損券収納部６４２へ搬送し、第２損券収納部６４２は、当該紙幣を収納する。
【００８５】
入金対象の紙幣が、第１損券収納部６４１へ収納される紙幣である場合（前述したようにＣ券である場合）、第１損券収納部６４１は、収納している紙幣を繰り出すことができないため、入金処理に続けて回収処理が実行されるときには、図５の工程Ｐ１と、必要に応じて工程Ｐ２とが行われる。この場合、入金処理の確定時に成立し得る回収条件として、以下の（１−１）〜（１−５）を具体的に例示することができる。
（１−１）  一時保留部６２０に一時保留している紙幣の数が、第１損券収納部６４１のニアフルに相当する、又は、ニアフルを超える、又は、フルに相当する、又は、フルを超える。
（１−２）  一時保留部６２０に一時保留している紙幣の数と、第１損券収納部６４１に収納している紙幣の数とを足し合わせると、第１損券収納部６４１のニアフルに相当する、又は、ニアフルを超える、又は、フルに相当する、又は、フルを超える。
（１−３）  回収設定テーブルＴ１に基づき、一時保留部６２０に一時保留している紙幣に、回収基準枚数、又は、回収基準枚数の整数倍となる券種が存在している。
（１−４）  一時保留部６２０に一時保留している紙幣から、回収基準枚数、又は、回収基準枚数の整数倍となる券種を差し引いた後の紙幣の数が、第１損券収納部６４１のニアフルに相当する、又は、ニアフルを超える、又は、フルに相当する、又は、フルを超える。
（１−５）  一時保留部６２０に一時保留している紙幣から、回収基準枚数、又は、回収基準枚数の整数倍となる券種を差し引いた後の紙幣の数と、第１損券収納部６４１に収納している紙幣の数とを足し合わせると、第１損券収納部６４１のニアフルに相当する、又は、ニアフルを超える、又は、フルに相当する、又は、フルを超える。
【００８６】
有価媒体処理ユニット６００は、これらの回収条件のいずれか一つが成立すれば、入金処理に続けて回収処理を実行可能にする。尚、回収条件（１−４）が成立しているときには、少なくとも回収条件（１−１）も成立していると共に、回収条件（１−３）も成立している。また、回収条件（１−５）が成立しているときには、少なくとも回収条件（１−２）も成立していると共に、回収条件（１−３）も成立している。
【００８７】
第１損券収納部６４１のニアフル、又は、フルは、貨幣の回収を行うしきい値としての回収量の一例である。また、回収基準枚数も、貨幣の回収を行うしきい値としての回収量の一例である。
【００８８】
入金対象の紙幣が、第２損券収納部６４２へ収納される紙幣である場合（前述したようにＤ券又はＥ券である場合）、第２損券収納部６４２は、収納している紙幣を繰り出すことができるため、入金処理に続けて回収処理が実行されるときには、図５の工程Ｐ１と、必要に応じて工程Ｐ２，図６の工程Ｐ３及びＰ４とを実行することができる。入金対象の紙幣が、第２損券収納部６４２へ収納される紙幣である場合、入金処理の確定時に成立し得る回収条件として、以下の（２−１）〜（２−７）を具体的に例示することができる。
（２−１）  一時保留部６２０に保留している紙幣の数が、第２損券収納部６４２のニアフルに相当する、又は、ニアフルを超える、又は、フルに相当する、又は、フルを超える。
（２−２）  一時保留部６２０に一時保留している紙幣の数と、第２損券収納部６４２に収納している紙幣の数とを足し合わせると、第２損券収納部６４２のニアフルに相当する、又は、ニアフルを超える、又は、フルに相当する、又は、フルを超える。
（２−３）  回収設定テーブルＴ１に基づき、一時保留部６２０に一時保留している紙幣に、回収基準枚数、又は、回収基準枚数の整数倍となる券種が存在している。
（２−４）  一時保留部６２０に保留している紙幣から、回収基準枚数、又は、回収基準枚数の整数倍となる券種を差し引いた後の紙幣の数が、第２損券収納部６４２のニアフルに相当する、又は、ニアフルを超える、又は、フルに相当する、又は、フルを超える。
（２−５）  一時保留部６２０に保留している紙幣から、回収基準枚数、又は、回収基準枚数の整数倍となる券種を差し引いた後の紙幣の数と、第２損券収納部６４２に収納している紙幣の数とを足し合わせると、第２損券収納部６４２のニアフルに相当する、又は、ニアフルを超える、又は、フルに相当する、又は、フルを超える。
（２−６）  一時保留部６２０に保留している紙幣と、第２損券収納部６４２に収納している紙幣とを合わせると、回収基準枚数、又は、回収基準枚数の整数倍となる券種が存在している。
（２−７）  第２損券収納部６４２に収納している紙幣に、回収基準枚数、又は、回収基準枚数の整数倍となる券種が存在している。
【００８９】
有価媒体処理ユニット６００は、これらの回収条件のいずれか一つが成立すれば、入金処理に続けて回収処理を実行可能にする。尚、回収条件（２−４）が成立しているときには、少なくとも回収条件（２−１）も成立していると共に、回収条件（２−３）も成立している。また、回収条件（２−５）が成立しているときには、少なくとも回収条件（２−２）も成立していると共に、回収条件（２−３）も成立している。
【００９０】
回収条件（２−７）が成立しているときに回収処理を行うと、第２損券収納部６４２がニアフル等でなくても、第２損券収納部６４２の容量を増やすことができる。
【００９１】
第２損券収納部６４２のニアフル、又は、フルは、貨幣の回収を行うしきい値としての回収量の一例である。また、回収基準枚数も、貨幣の回収を行うしきい値としての回収量の一例である。
【００９２】
図７は、有価媒体処理ユニット６００が実行する入金処理及び回収処理に係るフローチャートである。図８は、入金処理及び回収処理の実行の際に、ターミナル部４が表示する画面の遷移例を示している。
【００９３】
先ず、スタート後のステップＳ１で、制御部８は、操作者が認証操作を行ったか否かを判定する。認証操作は、操作者が、ターミナル部４においてＩＤを手入力することであってもよいし、ターミナル部４のカードリーダにＩＤカードを読み取らせることであってもよい。認証操作が行われていないときには、プロセスはステップＳ１を繰り返し、認証操作が行われれば、プロセスはステップＳ２に進む。
【００９４】
図７のフローでは操作者が損券又は旧券の入金処理を選択したとする。ステップＳ２において、制御部８は、有価媒体処理ユニット６００により、損券又は旧券の入金処理を実行する。有価媒体処理ユニット６００における入金処理の動作手順は、前述した通りである。投入部６１０に投入された紙幣が全て、一時保留部６２０に保留されると、プロセスはステップＳ２からステップＳ３に移行する。
【００９５】
ステップＳ３において制御部８は、操作者が入金確定の操作を行ったか否かを判定する。図８のＤ１は、操作者が入金処理を確定させる画面を例示している。画面Ｄ１は、入金処理時に、有価媒体処理ユニット６００に取り込まれた貨幣の情報を表示している。操作者が画面Ｄ１において「完了」ボタンを操作すると、入金処理が確定する。
【００９６】
入金確定の操作が行われると、プロセスはステップＳ３からステップＳ４に進む。入金確定の操作が行われずに、操作者が紙幣の返却操作を行ったときには、プロセスはステップＳ１０に進む。ステップＳ１０において制御部８は、前述したように、一時保留部６２０に保留している紙幣を繰り出させると共に、当該紙幣を、搬送部６１４を通じて払出部６６０に払い出す。
【００９７】
ステップＳ４において制御部８は、前述した回収条件（１−１）〜（１−５）のいずれか、又は（２−１）〜（２−７）のいずれかが成立したか否かを判定する。ステップＳ４の判定がＹＥＳのときには、プロセスはステップＳ５に進む。ステップＳ４の判定がＮＯのときには、プロセスはステップＳ１１に進む。ステップＳ１１において制御部８は、一時保留部６２０に保留している入金対象の紙幣を、一時保留部６２０から繰り出し、券種に応じて、第１損券収納部６４１又は第２損券収納部６４２に収納する。
【００９８】
ステップＳ５において制御部８は、操作者が回収処理の実行を要求したか否かを判定する。例えば、前述した回収条件（１−１）（１−２）（２−１）（２−２）が成立している場合、ターミナル部４は、図８の画面Ｄ２−１を表示する。画面Ｄ２−１は、一時保留部６２０に一時保留している紙幣を損券収納部６４０に収納すると、（損券収納部６４０がニアフル又はフルになるため）回収処理が必要になる旨を記載していると共に、操作者が選択操作をすることが可能な、「回収」ボタンと「収納」ボタンとを有している。操作者が「回収」を選択したときには、回収処理が要求されたことになる。操作者が「収納」を選択したときには、回収処理を行わずに、一時保留部６２０に一時保留している紙幣を損券収納部６４０に収納することが要求されたことになる。
【００９９】
例えば、前述した回収条件（１−３）（２−３）（２−６）が成立している場合、ターミナル部４は、画面Ｄ２−２を表示する。画面Ｄ２−２は、一時保留部６２０に一時保留している紙幣を損券収納部６４０に収納すると、回収基準枚数に達する旨を記載していると共に、操作者が選択操作をすることが可能な、「回収」ボタンと「収納」ボタンとを有している。操作者が「回収」を選択したときには、回収処理が要求されたことになる。操作者が「収納」を選択したときには、回収処理を行わずに、一時保留部６２０に一時保留している紙幣を損券収納部６４０に収納することが要求されたことになる。
【０１００】
画面Ｄ２−１又は画面Ｄ２−２において「回収」が選択されたときには、プロセスはステップＳ５からステップＳ６に進む。一方、「収納」が選択されたときには、プロセスはステップＳ５からステップＳ１１に進む。
【０１０１】
ステップＳ６〜ステップＳ９は、入金処理に続けて実行する回収処理に関係するステップである。先ずステップＳ６において制御部８は、入金処理を行っている操作者が、所定の権限を有しているか否かを判定する。所定の権限は、具体的には、出納機１において回収処理を実行する権限である。ステップＳ１における認証結果に基づいて、当該操作者が回収処理を実行する権限を有しているときには、プロセスはステップＳ６からステップＳ７に進む。操作者が回収処理を実行する権限を有していないときには、プロセスはステップＳ６からステップＳ８に進む。
【０１０２】
ステップＳ７において制御部８は、回収処理を実行する。ここでは、一時保留部６２０に保留している入金対象の紙幣の少なくとも一部を、第１損券収納部６４１及び第２損券収納部６４２に収納せずに、払出部６６０に払い出す回収処理が、少なくとも実行される。
【０１０３】
図８の画面Ｄ３は、回収処理の実行が選択されたときに、ターミナル部４が表示する画面を例示している。操作者は、この画面Ｄ３において、回収対象の券種を指定する。回収対象の券種を指定した後、操作者が「完了」ボタンを操作すると、ターミナル部４は、回収対象の券種、枚数、及び、金額を、画面Ｄ４において表示する。尚、図示は省略するが、操作者は、一時保留部６２０に一時保留している全ての紙幣を回収対象に指定することも可能である。画面Ｄ４において、操作者が「完了」ボタンを操作すると、入金対象の紙幣の少なくとも一部が払出部６６０に払い出される（図５の工程Ｐ１参照）。また、ステップＳ７において制御部８は、第２損券収納部６４２に収納している紙幣の一部を、払出部６６０に払い出すこともある（図６の工程Ｐ３参照）。
【０１０４】
ステップＳ７において制御部８は、必要に応じて、一時保留部６２０に保留している入金対象の紙幣の少なくとも一部を、第１損券収納部６４１又は第２損券収納部６４２に収納する（図５の工程Ｐ２参照）。回収対象ではない紙幣を損券収納部６４０に収納することによって、有価媒体処理ユニット６００は、紙幣を適切に管理することができる。さらに、ステップＳ７において制御部８は、第２損券収納部６４２から繰り出しかつ、一時保留部６２０に一時的に保留した紙幣を、第２損券収納部６４２に再収納することもある（図６の工程Ｐ４参照）。
【０１０５】
従って、ステップＳ７においては、（１）一時保留部６２０に一時保留している紙幣の一部が払出部６６０に払い出される、（２）一時保留部６２０に一時保留している紙幣の全てが払出部６６０に払い出される、（３）一時保留部６２０に一時保留している紙幣の一部又は全部と、第２損券収納部６４２に収納している紙幣の一部又は全部とが払出部６６０に払い出される、ことになる。
【０１０６】
ステップＳ７において、回収対象の紙幣が全て払出部６６０に払い出されると、ターミナル部４は、払出部６６０から紙幣を取り出すこと促す画面Ｄ５（図８参照）を表示する。操作者は、画面Ｄ５に従って、払出部６６０から紙幣を取り出す。
【０１０７】
入金処理が確定したときに損券収納部６４０へ紙幣を収納することを省いて回収処理を行うことにより、有価媒体処理ユニット６００の処理の効率化が図られる。また、損券収納部６４０がフルになる、又は、ニアフルになることを避けることができる。さらに、操作者は、入金処理の途中に回収処理を割り込みで実行したり、入金処理の完了直後に回収処理を実行したりする操作が不要になるため、操作者の操作が簡略化する。
【０１０８】
ステップＳ８において制御部８は、出納機１が設置されている営業店舗の出納係へ通知する。出納係への通知は、例えば、管理コンピュータ５３を通じて出納係のスマートフォン５４やタブレット端末５５に対して行ってもよい。尚、ステップＳ８の通知は、出納係に限らず、回収処理を実行する権限を有する者に行ってもよい。
【０１０９】
ステップＳ８において通知を受けた出納係は、出納機１のターミナル部４において認証操作を行う。ステップＳ９において制御部８は、出納係の認証が行われたか否かを判定する。認証が行われていないときには、プロセスはステップＳ９を繰り返す。認証が行われたときには、プロセスはステップＳ９からステップＳ７に進む。この場合ステップＳ７においては、出納係が、前述した回収処理を行うことになる。
【０１１０】
入金処理を実行する操作者が回収処理の権限を有していない場合に、有価媒体処理ユニット６００が入金対象の紙幣を払出部６６０へ払い出すことを保留することにより、貨幣を厳正に管理することができる。また、入金処理を実行する操作者が回収処理の権限を有していない場合に、回収処理を実行する権限を有している者（出納係を含む）に連絡を行うと共に、出納係等の操作によって、入金対象の紙幣の払い出しを可能にすることにより、有価媒体処理ユニット６００の入金及び回収処理が速やかに完了する。
【０１１１】
このように、ステップＳ２において入金処理、つまり、入金対象の紙幣を一時保留部６２０に一時的に保留した後、入金対象の紙幣を損券収納部６４０に収納する前に、ステップＳ７において回収処理を実行することにより、一時保留部６２０と損券収納部６４０との間で、紙幣を無駄に搬送することを回避することができる。入金処理と回収処理とを含む処理の全体に要する時間を短縮することができる。
【０１１２】
払出部６６０に払い出された紙幣は、手元管理される。回収基準枚数の整数倍の紙幣を、払出部６６０に払い出すようにすれば、端数が生じることなく、払い出された紙幣を、基準枚数毎にまとめることができる（つまり、帯封紙幣を作成することができる）。払出部６６０に払い出された貨幣の手元管理が容易になる。
【０１１３】
操作者は、回収した紙幣を、例えば貨幣保管ユニット７００に収納（つまり保管）してもよい。出納機１は、ステップＳ７の回収処理に続いて、貨幣保管ユニット７００への紙幣の収納処理を実行してもよい。出納機１は、回収処理と貨幣保管ユニット７００の収納処理との間で明細データを連携すれば、貨幣保管ユニット７００の収納処理を実行する際に、操作者が明細を入力することを省略することができる。出納機１の操作性が向上する。
【０１１４】
ステップＳ７の回収処理を行わずに、ステップＳ１１において入金対象の紙幣を損券収納部６４０に収納しようとした場合、一時保留部６２０に一時保留していた紙幣を損券収納部６４０に収納している途中で、又は、一時保留部６２０に一時保留していた紙幣を損券収納部６４０に収納し終わったタイミングで、損券収納部６４０が、フル又はニアフルになる場合がある。ステップＳ１２において、制御部８は、損券収納部６４０がフル又はニアフルになったか否かを判定する。尚、ステップＳ１２の判定は、ステップＳ１１の収納を実行している最中、及び、収納が完了した直後に行われる。損券収納部６４０がフル又はニアフルになっておらず、ステップＳ１２の判定がＮＯのとき（つまり、損券収納部６４０がフル又はニアフルにならずかつ、紙幣の収納が完了したとき）、損券収納部６４０の回収処理が不要であるため、プロセスは終了する。一方、ステップＳ１２の判定がＹＥＳのとき、つまり、一時保留部６２０に一時保留していた紙幣を損券収納部６４０に収納している途中で、又は、一時保留部６２０に一時保留していた紙幣を損券収納部６４０に収納し終わったタイミングで、損券収納部６４０がフル又はニアフルになったときに、プロセスはステップＳ１３に進む。
【０１１５】
ステップＳ１３において制御部８は、（操作者が回収処理の実行に係る操作したことを受けて）第１損券収納部６４１又は第２損券収納部６４２の回収処理を実行する。
【０１１６】
第１損券収納部６４１の回収処理を実行する場合は、前述したように、第１損券収納部６４１は全回収のみが可能であるため、有価媒体処理ユニット６００は、筐体に設けられたロックを解除することによって、操作者が有価媒体処理ユニット６００の筐体を開けることを許容する。操作者は、第１損券収納部６４１を外部に開放した上で、第１損券収納部６４１内に集積している紙幣を、手で取り出す。
【０１１７】
第２損券収納部６４２の回収処理を実行する場合、図示は省略するが、操作者は、ターミナル部４において、第２損券収納部６４２に収納している紙幣を全て回収する全回収か、又は、第２損券収納部６４２に収納している紙幣の一部を回収する指定回収か、のいずれかを選択する。指定回収を選択した場合、操作者は、回収を行う券種及び枚数を指定することができる。全回収又は指定回収が選択されると、有価媒体処理ユニット６００は、前述したように、第２損券収納部６４２に収納している紙幣を繰り出して、払出部６６０に払い出す。このときに、第２損券収納部６４２から繰り出された回収対象外の紙幣は、一時保留部６２０に一時的に保留される。一時保留部６２０は、回収対象の紙幣が全て払出部６６０に払い出された後、回収対象外の紙幣を繰り出し、搬送部６１４は、当該紙幣を第２損券収納部６４２に戻す。
【０１１８】
尚、図７のフローでは省略しているが、ステップＳ１３の回収処理を実行する際にも、ステップＳ６及びＳ７と同様に、制御部８は、操作者が、回収処理を実行する権限を有しているか否かを判定する。操作者が権限を有しているときには、制御部８は、ステップＳ１３の回収処理をそのまま実行する。操作者が権限を有していないときには、制御部８は、ステップＳ８及びＳ９と同様に、出納係への通知と、出納係の認証とを行って、ステップＳ１３の回収処理を実行する。
【０１１９】
ステップＳ１３の回収処理が終了すれば、プロセスはステップＳ１４に進む。一時保留部６２０に一時保留していた入金対象の紙幣の収納が完了していないとき、制御部８は、ステップＳ１４において、中断していた入金対象の紙幣の収納を行う。一方、入金対象の紙幣の収納が完了しているときには、ステップＳ１４における収納を省略して、プロセスは終了する。
【０１２０】
前述した入金処理及び回収処理を実行すると、制御部８は、これら入金処理と、回収処理とのログデータを、記憶部５１に記憶させる。記憶部５１は、入金処理のログデータと、回収処理のログデータとを分けて記憶してもよい。記憶部５１はまた、入金処理のログデータと、回収処理のログデータとを互いに紐付けて記憶してもよい。例えば、入金処理のログデータと、回収処理のログデータとについて共通の連携番号を付与してもよい。また、記憶部５１は、入金処理と回収処理とをまとめた一つの「入金及び回収処理」として、ログデータを記憶してもよい。前述したように、回収した紙幣を貨幣保管ユニット７００に収納する場合は、回収処理のログデータと収納処理のログデータとを互いに紐付けて記憶してもよい。
【０１２１】
制御部８はまた、回収処理を行ったときには、プリンタ５０を通じて、回収レシートを発行する。回収レシートには、例えば、タイトル、回収日時、操作者のＩＤ、及び、回収金額（合計金額、及び／又は、券種別金額）を印字してもよい。回収レシートは、有価媒体処理ユニット６００から回収された紙幣に添付され、当該紙幣と共に保管される。
【０１２２】
（他の実施形態）
尚、前記の構成では、有価媒体処理ユニット６００は、回収対象の紙幣を払出部６６０に払い出しているが、例えば、有価媒体処理ユニット６００が、その筐体に着脱可能な回収箱を有するよう構成し、回収対象の紙幣を回収箱内に収納するように構成してもよい。
【０１２３】
また、ここに開示する技術は、有価媒体処理ユニット６００に適用することに限らない。ここに開示する技術は、出納機１の他のユニットに適用することもできる。以下においては、損貨・記念貨処理ユニット５００に、ここに開示する技術を適用した例を説明する。
【０１２４】
（損貨・記念貨処理ユニットへの適用例）
図９は、損貨・記念貨処理ユニット５００の外観を例示している。損貨・記念貨処理ユニット５００は、筐体５０１の上前部に開口５０２が形成されている。シャッタ５０３は、この開口５０２を開閉する。図９は、シャッタ５０３が開いている状態を示している。
【０１２５】
開口５０２が開いていると、第１載置領域５０４及び第２載置領域５０５が外部に露出する。操作者は、第１載置領域５０４及び第２載置領域５０５のそれぞれに、硬貨を載置することができる。第１載置領域５０４及び第２載置領域５０５は共に、複数の硬貨を載置することが可能である。第１載置領域５０４に載置される硬貨の種類、及び、第２載置領域５０５に載置される硬貨の種類はそれぞれ、任意に設定される。例えば第１載置領域５０４に損貨を載置し、第２載置領域５０５に記念貨を載置するようにしてもよい。第１載置領域５０４は、投入部兼一時保留部に相当する。第２載置領域５０５も、投入部兼一時保留部に相当する。
【０１２６】
第１載置領域５０４の下側には、第１収納部５０６が設けられている。第１収納部５０６は、図示は省略するが、第１載置領域５０４に載置された硬貨が落下することにより、当該硬貨を収納する。第１収納部５０６はまた、前方に引出可能に構成されている。第１収納部５０６を前方に引き出すと、第１収納部５０６に収納している硬貨を回収することができる。第１収納部５０６は、回収処理時以外の時は、ロック機構によって引き出すことができない。
【０１２７】
第２載置領域５０５の下側には、第２収納部５０７が設けられている。第２収納部５０７は、図示は省略するが、第２載置領域５０５に載置された硬貨が落下することにより、当該硬貨を収納する。第２収納部５０７も、前方に引出可能に構成されている。第２収納部５０７を前方に引き出すと、第２収納部５０７に収納している硬貨を回収することができる。第２収納部５０７も、回収処理時以外の時は、ロック機構によって引き出すことができない。
【０１２８】
図示は省略するが、シャッタ５０３の内面には、カメラが設置されている。カメラは、第１載置領域５０４に載置した硬貨、及び、第２載置領域５０５に載置した硬貨を全て、撮像することができる。
【０１２９】
損貨・記念貨処理ユニット５００において入金処理を行うときに、操作者は入金対象の硬貨を、第１載置領域５０４及び／又は第２載置領域５０５に載置する。その後、シャッタ５０３が閉じると、カメラが第１載置領域５０４に載置した硬貨、及び／又は、第２載置領域５０５に載置した硬貨を撮像する。画像データは、ターミナル部４に表示され、操作者は、ターミナル部４において、入金対象の各硬貨の情報を手入力する。第１載置領域５０４及び／又は第２載置領域５０５に載置した全ての硬貨について、操作者が情報を手入力しかつ、入金処理の確定を選択すると、損貨・記念貨処理ユニット５００は、第１載置領域５０４に載置されている硬貨を、第１収納部５０６に収納し、第２載置領域５０５に載置されている硬貨を、第２収納部５０７に収納する。
【０１３０】
ここで、入金処理が確定したときに回収条件が成立すれば、制御部８は、回収処理への移行を可能にする。ここにおける回収条件は、第１載置領域５０４に載置している硬貨と第１収納部５０６に収納している硬貨とを足し合わせると、第１収納部５０６のニアフルになる（ニアフルを超えることを含む）、又は、フルになる（フルを超えるときを含む）ことである。操作者によって回収処理の実行が要求されると、制御部８は、シャッタ５０３を開けて、操作者が、第１載置領域５０４に載置している硬貨を取り出すことを許容する。第１収納部５０６に収納する前に、入金対象の硬貨の回収を可能にすることによって、第１収納部５０６がフルになる、又は、ニアフルになることを回避することができる。損貨・記念貨処理ユニット５００の処理の効率化が図られると共に、操作者の操作が簡略化する。
【０１３１】
尚、制御部８は、このタイミングで、第１収納部５０６のロックを解除することにより、第１収納部５０６に収納している硬貨の回収も可能にしてもよい。
【０１３２】
第２載置領域５０５に載置している硬貨についても同様に、入金処理が確定したときに、第２載置領域５０５に載置している硬貨と第２収納部５０７に収納している硬貨とを足し合わせると、第２収納部５０７のフルになる、又は、ニアフルになるときには、制御部８は、回収処理への移行を可能にする。操作者によって回収処理の実行が要求されると、制御部８は、シャッタ５０３を開けて、操作者が、第２載置領域５０５に載置している硬貨を取り出すことを許容する。制御部８はまた、第２収納部５０７のロックを解除することにより、第２収納部５０７に収納している硬貨の回収も可能にしてもよい。
【０１３３】
尚、ここに開示する技術は、複数のユニットによって構成される出納機１に適用されるだけでなく、単一の装置によって構成される各種の貨幣処理装置に対して適用することも可能である。
【０１３４】
また、前記においては、損券収納部６４０の収納容量や、帯封紙幣や包装硬貨を作成する貨幣量（帯封紙幣であれば１００枚、包装硬貨であれば５０枚といった、回収基準量）に基づいて、貨幣の回収の要否を判断しているが、これらとは異なり、予め任意に定めた、貨幣の回収のためのしきい値としての「回収量」に基づいて、貨幣の回収の要否を判断してもよい。例えば、一時保留部６２０に一時的に保留している入金対象の貨幣の量と、損券収納部６４０に収納している貨幣の量との合計が、記憶部５１に記憶している回収量に到達したこと（回収量を超えたことを含む）を条件に、貨幣の回収を行ってもよい。有価媒体処理ユニット６００は、回収を行うときには、例えば、一時保留部６２０に一時的に保留している入金対象の貨幣を少なくとも含む、前記回収量分の貨幣を払い出してもよい。有価媒体処理ユニット６００はまた、操作者によって指定された枚数の貨幣の回収を行うようにしてもよい。
【０１３５】
前記回収量は、貨幣の発行時期（Ｃ券、Ｄ券、及びＥ券）毎に、及び／又は、金種（万、５千、２千、千、５百、その他）毎に、定めてもよい。例えば有価媒体処理ユニット６００において処理をすることが多いＤ券及びＥ券は、回収量を１００枚とし、有価媒体処理ユニット６００において処理をすることが少ないＣ券は、回収量を５０枚としてもよい。
【符号の説明】
【０１３６】
１  出納機
４  ターミナル部（認証部）
４１  第１ターミナル部（認証部）
４２  第２ターミナル部（認証部）
５１  記憶部
５００  損貨・記念貨処理ユニット（貨幣処理装置）
５０４  第１載置領域（投入部、一時保留部）
５０５  第２載置領域（投入部、一時保留部）
５０６  第１収納部（収納部）
５０７  第２収納部（収納部）
６００  有価媒体処理ユニット（貨幣処理装置）
６１０  投入部
６２０  一時保留部
６４０  損券収納部
６４１  第１損券収納部（収納部）
６４２  第２損券収納部（収納部）
８  制御部
【図１】
2020067794.tif 000003
【図２】
2020067794.tif 000004
【図３】
2020067794.tif 000005
【図４】
2020067794.tif 000006
【図５】
2020067794.tif 000007
【図６】
2020067794.tif 000008
【図７】
2020067794.tif 000009
【図８】
2020067794.tif 000010
【図９】
2020067794.tif 000011